(57)【特許請求の範囲】
【請求項１】
画素セルに複数の表示ドメインが含まれている液晶表示パネルの製造方法であって、
内表面に画素電極層が含まれるアレイ基板を製造するステップと、
内表面に共通電極層が含まれる着色フィルム基板を製造するステップと、
第一の不規則性ポリマーが含まれる画素配向膜を前記画素電極層に塗布するステップと、
前記第一の不規則性ポリマーが第一の規則性ポリマーに転換されるよう、前記液晶表示パネルのメイン表示視野角によって特定された、異なる前記表示ドメインの前記画素配向膜に対する第一の光配向処理の露光量で前記第一の光配向処理を前記画素配向膜に対し行うステップと、
第二の不規則性ポリマーが含まれる共通配向膜を前記共通電極層に塗布するステップと、
前記第二の不規則性ポリマーが第二の規則性ポリマーに転換されるよう、前記液晶表示パネルの前記メイン表示視野角によって、異なる表示ドメインの共通配向膜に対して行う第二の光配向処理の露光量を特定し、前記共通配向膜に対し第二の光配向処理を行うステップと、
前記アレイ基板と前記着色フィルム基板に対しアライメント処理を行って、液晶セルを形成するステップと、を含み、
前記異なる前記表示ドメインの画素配向膜に対して前記第一の光配向処理を行うとき、同じ露光量を採用し、前記液晶表示パネルの前記メイン表示視野角に対応する前記表示ドメインの前記共通配向膜に対して前記第二の光配向処理を行うときの露光量が、それ以外の前記表示ドメインの前記共通配向膜に対して前記第二の光配向処理を行うときの露光量より多い
ことを特徴する液晶表示パネルの製造方法。
【請求項２】
前記第一の光配向処理の配向方向は、前記第二の光配向処理の配向方向に垂直している、
ことを特徴とする請求項１に記載の液晶表示パネルの製造方法。
【請求項３】
前記アレイ基板を製造するステップには、
下層基板に走査線、薄膜電界効果トランジスタ、データ線及び画素電極を配置して、前記アレイ基板を形成することを含む、
ことを特徴とする請求項１に記載の液晶表示パネルの製造方法。
【請求項４】
前記着色フィルム基板を製造するステップには、
下層基板に黒色マトリックス、着色フィルムカラーレジスト及び共通電極を配置して、前記着色フィルム基板を形成することを含む、
ことを特徴とする請求項１に記載の液晶表示パネルの製造方法。
【請求項５】
前記第一の光配向処理では、所定方向の偏光を利用して、前記第一の不規則性ポリマーに対し所定角度で露光処理を行って、前記第一の規則性ポリマーを形成し、
前記第二の光配向処理では、所定方向の偏光を利用して、前記第二の不規則性ポリマーに対し所定角度で露光処理を行って、前記第二の規則性ポリマーを形成する、
ことを特徴とする請求項１に記載の液晶表示パネルの製造方法。
【発明の詳細な説明】
【技術分野】
【０００１】
本発明は、液晶表示領域に関し、特に、液晶表示パネルの製造方法に関する。
【背景技術】
【０００２】
大きいサイズの液晶表示装置は、社会発展に伴って様々な家庭や公共の場所で応用されている。異なる応用場所では、液晶表示装置に対する要求もそれぞれ異なっている。例えば、家庭の場所では、ユーザーが液晶表示装置の左右で行ったり来たりするため、液晶表示装置の左右から見る場合の視野角にも要求が高くなっている。また、例えば、一般的公共の場では、画面を見るユーザーをより多くするために、通常、液晶表示装置を高い場所に置くため、液晶表示装置の下視野角に対する要求も高くなっている。
【０００３】
このように、上記したユーザーらの視野角の需要を満たすためには、液晶表示装置の生産において、高いコストをかけて液晶表示装置の表示効果を向上させ、一部の視野角で液晶表示装置の画面が真っ白になるなどの問題を避ける必要がある。
【０００４】
そこで、従来技術に存在する上記のような問題を解決するために、液晶表示パネルの製造方法を提供することが必要である。
【発明の概要】
【発明が解決しようとする課題】
【０００５】
本発明は、製造コストが低く且つ表示効果が良い液晶表示パネルの製造方法を提供して、従来の液晶表示装置の製造コストが高く又は一部の視野角で画面が真っ白になりやすいという技術問題を解決することを目的とする。
【課題を解決するための手段】
【０００６】
上記目的を達成するために、本発明の実施形態に係る、画素セルに複数の表示ドメインが含まれている液晶表示パネルの製造方法は、
内表面に画素電極層が含まれるアレイ基板を製造するステップと、
内表面に共通電極層が含まれる着色フィルム基板を製造するステップと、
第一の不規則性ポリマーが含まれる画素配向膜を前記画素電極層に塗布するステップと、
前記第一の不規則性ポリマーが第一の規則性ポリマーに転換されるよう、前記液晶表示パネルのメイン表示視野角によって特定された、異なる前記表示ドメインの前記画素配向膜に対する第一の光配向処理の露光量で第一の光配向処理を前記画素配向膜に対して行うステップと、
第二の不規則性ポリマーが含まれる共通配向膜を前記共通電極層に塗布するステップと、
前記第二の不規則性ポリマーが第二の規則性ポリマーに転換されるよう、前記共通配向膜に対し第二の光配向処理を行うステップと、
前記アレイ基板と前記着色フィルム基板とに対しアライメント処理を行って、液晶セルを形成するステップと、を含んでいる。
【０００７】
本実施形態による液晶表示パネルの製造方法において、前記液晶表示パネルのメイン表示視野角に対応する前記表示ドメインの前記画素配向膜に対して行う前記第一の光配向処理の露光量が、それ以外の前記表示ドメインの前記画素配向膜に対して行う前記第一の光配向処理の露光量より多くなっている。
【０００８】
本実施形態による液晶表示パネルの製造方法において、前記第一の光配向処理の配向方向は、前記第二の光配向処理の配向方向に垂直している。
【０００９】
本実施形態による液晶表示パネルの製造方法において、前記アレイ基板を製造するステップには、下層基板に走査線、薄膜電界効果トランジスタ、データ線及び画素電極を配置して、前記アレイ基板を形成することを含んでいる。
【００１０】
本実施形態による液晶表示パネルの製造方法において、前記着色フィルム基板を製造するステップには、下層基板に黒色マトリックス、着色フィルムカラーレジスト及び共通電極を配置して、前記着色フィルム基板を形成することを含んでいる。
【００１１】
本実施形態による液晶表示パネルの製造方法において、前記第一の光配向処理では、所定方向の偏光を利用して、前記第一の不規則性ポリマーに対し所定角度で露光処理を行って、前記第一の規則性ポリマーを形成し、
前記第二の光配向処理では、所定方向の偏光を利用して、前記第二の不規則性ポリマーに対し所定角度で露光処理を行って、前記第二の規則性ポリマーを形成する。
【００１２】
また、上記目的を達成するために、本発明の他の実施形態に係る、画素セルに複数の表示ドメインが含まれている液晶表示パネルの製造方法は、
内表面に画素電極層が含まれるアレイ基板を製造するステップと、
内表面に共通電極層が含まれる着色フィルム基板を製造するステップと、
第一の不規則性ポリマーが含まれる画素配向膜を前記画素電極層に塗布するステップと、
前記第一の不規則性ポリマーが第一の規則性ポリマーに転換されるよう、前記画素配向膜に対し第一の光配向処理を行うステップと、
第二の不規則性ポリマーが含まれる共通配向膜を前記共通電極層に塗布するステップと、
前記第二の不規則性ポリマーが第二の規則性ポリマーに転換されるよう、前記液晶表示パネルのメイン表示視野角によって特定された、異なる前記表示ドメインの前記共通配向膜に対する第二の光配向処理の露光量で第二の光配向処理を前記共通配向膜に対して行うステップと、
前記アレイ基板と前記着色フィルム基板に対しアライメント処理を行って、液晶セルを形成するステップと、を含んでいる。
【００１３】
本実施形態による液晶表示パネルの製造方法において、前記液晶表示パネルのメイン表示視野角に対応する前記表示ドメインの前記共通配向膜に対して行う前記第二の光配向処理の露光量が、それ以外の前記表示ドメインの前記共通配向膜に対して行う前記第二の光配向処理の露光量より多くなっている。
【００１４】
本実施形態による液晶表示パネルの製造方法において、前記第一の光配向処理の配向方向は、前記第二の光配向処理の配向方向に垂直している。
【００１５】
本実施形態による液晶表示パネルの製造方法において、前記アレイ基板を製造するステップには、下層基板に走査線、薄膜電界効果トランジスタ、データ線及び画素電極を配置して、前記アレイ基板を形成することを含んでいる。
【００１６】
本実施形態による液晶表示パネルの製造方法において、前記着色フィルム基板を製造するステップには、下層基板に黒色マトリックス、着色フィルムカラーレジスト及び共通電極を配置して、前記着色フィルム基板を形成することを含んでいる。
【００１７】
本実施形態による液晶表示パネルの製造方法において、前記第一の光配向処理では、所定方向の偏光を利用して、前記第一の不規則性ポリマーに対し所定角度で露光処理を行って、前記第一の規則性ポリマーを形成し、
前記第二の光配向処理では、所定方向の偏光を利用して、前記第二の不規則性ポリマーに対し所定角度で露光処理を行って、前記第二の規則性ポリマーを形成する。
【００１８】
また、上記目的を達成するために、本発明のまた他の実施形態に係る、画素セルに複数の表示ドメインが含まれている液晶表示パネルの製造方法は、
内表面に画素電極層が含まれるアレイ基板を製造するステップと、
内表面に共通電極層が含まれる着色フィルム基板を製造するステップと、
第一の不規則性ポリマーが含まれる画素配向膜を前記画素電極層に塗布するステップと、
前記第一の不規則性ポリマーが第一の規則性ポリマーに転換されるよう、前記液晶表示パネルのメイン表示視野角によって特定された、異なる前記表示ドメインの前記画素配向膜に対する前記第一の光配向処理の露光量で第一の光配向処理を前記画素配向膜に対して行うステップと、
第二の不規則性ポリマーが含まれる共通配向膜を前記共通電極層に塗布するステップと、
前記第二の不規則性ポリマーが第二の規則性ポリマーに転換されるよう、前記液晶表示パネルのメイン表示視野角によって特定された、異なる前記表示ドメインの前記共通配向膜に対する前記第二の光配向処理の露光量で第二の光配向処理を前記共通配向膜に対して行うステップと、
前記アレイ基板と前記着色フィルム基板に対しアライメント処理を行って、液晶セルを形成するステップと、を含んでいる。
【００１９】
本実施形態による液晶表示パネルの製造方法において、前記液晶表示パネルのメイン表示視野角に対応する前記表示ドメインの前記画素配向膜に対して行う前記第一の光配向処理の露光量が、それ以外の前記表示ドメインの前記画素配向膜に対して行う前記第一の光配向処理の露光量より多くなっている。
【００２０】
本実施形態による液晶表示パネルの製造方法において、前記液晶表示パネルのメイン表示視野角に対応する前記表示ドメインの前記共通配向膜に対して行う前記第二の光配向処理の露光量が、それ以外の前記表示ドメインの前記共通配向膜に対して行う前記第二の光配向処理の露光量より多くなっている。
【００２１】
本実施形態による液晶表示パネルの製造方法において、前記第一の光配向処理の配向方向は、前記第二の光配向処理の配向方向に垂直している。
【００２２】
本実施形態による液晶表示パネルの製造方法において、前記アレイ基板を製造するステップは、下層基板に走査線、薄膜電界効果トランジスタ、データ線及び画素電極を配置して、前記アレイ基板を形成することを含んでいる。
【００２３】
本実施形態による液晶表示パネルの製造方法において、前記着色フィルム基板を製造するステップには、下層基板に黒色マトリックス、着色フィルムカラーレジスト及び共通電極を配置して、前記着色フィルム基板を形成することを含んでいる。
【００２４】
本実施形態による液晶表示パネルの製造方法において、前記第一の光配向処理では、所定方向の偏光を利用して、前記第一の不規則性ポリマーに対し所定角度で露光処理を行って、前記第一の規則性ポリマーを形成し、
前記第二の光配向処理では、所定方向の偏光を利用して、前記第二の不規則性ポリマーに対し所定角度で露光処理を行って、前記第二の規則性ポリマーを形成する。
【発明の効果】
【００２５】
従来技術の液晶表示パネルの製造方法に比べ、本発明による液晶表示パネルの製造方法は、液晶表示パネルのメイン表示視野角によって、異なる表示ドメインの画素配向膜に対して行う第一の光配向処理の露光量を特定するため、液晶表示パネルの製造コストを軽減することができる上で、液晶表示パネルの表示効果を確保することができて、従来の液晶表示装置の製造コストが高く、一部の視野角で画面が真っ白になりやすいという技術問題を解決することができる。
【図面の簡単な説明】
【００２６】
本願の上記内容をより理解やすいにするように、図面とともに好ましい実施形態を挙げて、以下の通りに詳しくて説明する。
【図１】図１は、本発明による液晶表示パネルの製造方法の第一の実施形態を示すフローチャートである。
【図２】図２は、本発明による液晶表示パネルの製造方法の第一の実施形態における画素セルの表示ドメインを示す模式図である。
【図３】図３は、従来の液晶表示パネルの異なる視野角のガンマ曲線図である。
【図４】図４は、本発明による液晶表示パネルの製造方法の第一の実施形態によって製造された液晶表示パネルの異なる視野角のガンマ曲線図である。
【図５】図５は、本発明による液晶表示パネルの製造方法の第二の実施形態を示すフローチャートである。
【図６】図６は、本発明による液晶表示パネルの製造方法の第三の実施形態を示すフローチャートである。
【発明を実施するための形態】
【００２７】
以下、図面を参照し、好ましい実施形態に基づいて、本発明を分かりやすく詳細に説明する。また、下記各実施形態は、本発明を説明するための例示の実施形態である。本発明の実施形態の説明で使われている方向を示す用語、例えば、「上」、「下」、「前」、「後」、「左」、「右」、「内」、「外」、「側面」などは、図面を参照するときの方向を表している。このため、本明細書における方向を示す用語は、本発明を説明及び理解するためのものであり、本発明を限定するものではない。
【００２８】
図面において、構造が似ている構成に対しては、同じ符号を付ける。
【００２９】
図１は、本発明の液晶表示パネルの製造方法の第一の実施形態を示すフローチャートである。この好ましい実施形態による液晶表示パネルの製造方法は、液晶表示パネルを製造する際に応用され、該当する液晶表示パネルの画素セルには、複数の表示ドメインが含まれている。本実施形態による液晶表示パネルの製造方法は、以下のステップを含んでいる。即ち、
ステップＳ１０１：内表面に画素電極層が含まれるアレイ基板を製造すること；
ステップＳ１０２：内表面に共通電極層が含まれる着色フィルム基板を製造すること；
ステップＳ１０３：第一の不規則性ポリマーが含まれている画素配向膜を画素電極層に塗布すること；
ステップＳ１０４：第一の不規則性ポリマーが第一の規則性ポリマーに転換されるよう、液晶表示パネルのメイン表示視野角によって特定された、異なる表示ドメインの画素配向膜に対する第一の光配向処理の露光量で第一の光配向処理を前記画素配向膜に対して行うこと；
ステップＳ１０５：第二の不規則性ポリマーが含まれる共通配向膜を共通電極層に塗布すること；
ステップＳ１０６：第二の不規則性ポリマーが第二の規則性ポリマーに転換されるよう、共通配向膜に対し第二の光配向処理を行うこと；
ステップＳ１０７：アレイ基板と着色フィルム基板に対しアライメント処理を行って、液晶セルを形成すること。
【００３０】
本実施形態における液晶表示パネルの製造方法は、ステップＳ１０７で終了となる。
【００３１】
以下、本実施形態の液晶表示パネルの製造方法における各ステップの具体的な流れを詳細に説明する。
【００３２】
ステップＳ１０１においては、下層基板に走査線、薄膜電界効果トランジスタ、データ線及び画素電極を配置して、アレイ基板を形成する。ここで、当該アレイ基板の内表面には、画素電極を含む画素電極層が形成されている。次に、ステップＳ１０２に進む。
【００３３】
ステップＳ１０２においては、下層基板に黒色マトリックス、着色フィルムカラーレジスト及び共通電極を配置して、着色フィルム基板を形成する。ここで、着色フィルム基板の内表面には、共通電極を含む共通電極層が形成されている。次に、ステップＳ１０３に進む。
【００３４】
ステップＳ１０３においては、アレイ基板の画素電極層に画素配向膜を塗布し、当該画素配向膜には第一の不規則性ポリマーが含まれる。ここで、当該第一の不規則性ポリマーにおけるポリマーは、不規則な配列状態となっている。次に、ステップＳ１０４に進む。
【００３５】
ステップＳ１０４においては、画素配向膜に対し第一の光配向処理を行って、第一の不規則性ポリマーにおけるポリマーが規則な配列状態になるようにし、即ち、第一の不規則性ポリマーが第一の規則性ポリマーに転換される。第一の光配向処理では、所定方向の偏光を利用して、第一の不規則性ポリマーに対し所定角度で露光処理を行うことで、第一の規則性ポリマーを形成し、液晶分子には、第一の規則性ポリマーの作用により一定のプレチルト角が付与されるため、画素配向膜の配向作用を実現することができる。ここで、第一の光配向処理を行うときの露光量が多ければ多いほど、画素配向膜に対応する配向角度が小さくなる。
【００３６】
このため、当該ステップにおいて、ユーザーが確定した液晶表示パネルのメイン表示視野角によって、異なる表示ドメインの前記画素配向膜に対して行う第一の光配向処理の露光量を特定し、これにより、メイン表示視野角の表示効果をよりよくさせる。ここで、液晶表示パネルのメイン表示視野角に対応する表示ドメインの画素配向膜に対して第一の光配向処理を行うときの露光量が、それ以外の表示ドメインの画素配向膜に対して第一の光配向処理を行うときの露光量より多いことが好ましい。次に、ステップＳ１０５に進む。
【００３７】
ステップＳ１０５においては、着色フィルム基板の共通電極層に共通配向膜を塗布し、当該共通配向膜には第二の不規則性ポリマーが含まれる。ここで、当該第二の不規則性ポリマーにおけるポリマーは、不規則な配列状態となっている。次に、ステップＳ１０６に進む。
【００３８】
ステップＳ１０６においては、共通配向膜に対し第二の光配向処理を行って、第二の不規則性ポリマーにおけるポリマーが規則な配列状態になるようにし、即ち、第二の不規則性ポリマーが第二の規則性ポリマーに転換される。ここで、第一の光配向処理の配向方向が第二の光配向処理の配向方向に垂直であることが好ましい。次に、ステップＳ１０７に進む。
【００３９】
ステップＳ１０７においては、ステップＳ１０４で第一の光配向処理済みのアレイ基板と、ステップＳ１０６で第二の光配向処理済みの着色フィルム基板に対しアライメント処理を行って、液晶セルを形成する。
【００４０】
以上のようにして、本実施形態の液晶表示パネルの製造工程が完成する。
【００４１】
以下、本発明の具体的な実施形態に基づいて、液晶表示パネルの製造工程を詳しく説明する。図２は、本発明による液晶表示パネルの製造方法の第一の好ましい実施形態における画素セルの表示ドメインを示す模式図である。図２における左側は、画素セルのアレイ基板側における画素配向膜の第一の光配向方向を示し、上側の画素配向膜の第一の光配向方向が左に傾き、下側の画素配向膜の第一の光配向方向が右に傾く。図２における中央は、画素セルの着色フィルム基板側における共通配向膜の第二の光配向方向を示し、左側の共通配向膜の第二の光配向方向が下に傾き、右側の共通配向膜の第二の光配向方向が上に傾く。このようなアライメント処理後の画素セルは、左上、左下、右上、右下の４つの表示ドメインを有し、複数の表示ドメインを設置することにより、液晶表示パネルの表示可能な視野角を増大することができる。ここで、液晶表示パネルの下視野角の表示効果を向上させるために、アレイ基板の下側における画素配向膜の第一の光配向処理の露光量を多くしている。
【００４２】
図３は、従来の液晶表示パネルの異なる視野角のガンマ曲線図である。その中、線３０１は水平に見た場合のガンマ曲線であって、人間の目の画面を見るときの要求を完全に満たしている。線３０２は、６０度の上視野角、６０度の下視野角、６０度の左視野角及び６０度の右視野角を有する条件で見た場合のガンマ曲線である。画素セルが複数の表示ドメインに分けられているが、ガンマ曲線３０２と標準のガンマ曲線３０１とには、やはりある程度の差異がある。
【００４３】
図４は、本発明による液晶表示パネルの製造方法の第一の実施形態によって製造された液晶表示パネルの異なる視野角のガンマ曲線図である。その中、線４０１は水平に見た場合のガンマ曲線であって、人間の目の画面を見るときの要求を完全に満たしている。線４０２は、６０度の上視野角を有する条件で見た場合のガンマ曲線であり、線４０３は、６０度の左視野角及び右視野角を有する条件で見た場合のガンマ曲線であり、線４０４は、６０度の下視野角を有する条件で見た場合のガンマ曲線である。
【００４４】
ここで、ガンマ曲線４０３は、従来のガンマ曲線３０２と同じ、ガンマ曲線４０２は、ガンマ曲線４０２に比べ、ガンマ曲線４０１からもっと離れており、ガンマ曲線４０４は、ガンマ曲線４０２に比べ、ガンマ曲線４０１にもっと近づいている。このため、本実施形態では、アレイ基板の下側における画素配向膜の第一の光配向処理の露光量を増えることにより、上視野角の表示効果は損失したものの、下視野角（メイン表示視野角）の表示効果は向上させた。これによって、液晶表示パネルの製造コストが増えない上で、液晶表示パネルの表示効果を確保することができる。
【００４５】
もちろん、ここでは、設定されたメイン表示視野角の異なりによって、第一の光配向処理の露光量を増大する位置を変更することもできる。例えば、ユーザーが上視野角の表示効果を高めようとしたら、上視野角をメイン表示視野角として設定することで、アレイ基板の上側における画素配向膜の第一の光配向処理の露光量を増大させることができる。
【００４６】
本実施形態による液晶表示パネルの製造方法は、液晶表示パネルのメイン表示視野角によって、異なる表示ドメインの画素配向膜に対して行う第一の光配向処理の露光量を特定し、これにより、液晶表示パネルの製造コストを軽減する上で、液晶表示パネルの表示効果を確保することができる。
【００４７】
図５は、本発明による液晶表示パネルの製造方法の第二の実施形態を示すフローチャートである。本実施形態による液晶表示パネルの製造方法は、液晶表示パネルを製造するために応用でき、該当する液晶表示パネルの画素セルには複数の表示ドメインが含まれている。本実施形態による液晶表示パネルの製造方法は、以下のステップを含んでいる。即ち、
ステップＳ５０１：内表面に画素電極層が含まれるアレイ基板を製造すること；
ステップＳ５０２：内表面に共通電極層が含まれる着色フィルム基板を製造すること；
ステップＳ５０３：第一の不規則性ポリマーが含まれる画素配向膜を画素電極層に塗布すること；
ステップＳ５０４：第一の不規則性ポリマーが第一の規則性ポリマーに転換されるよう、画素配向膜に対し第一の光配向処理を行うこと；
ステップＳ５０５：第二の不規則性ポリマーが含まれる共通配向膜を共通電極層に塗布すること；
ステップＳ５０６：第二の不規則性ポリマーが第二の規則性ポリマーに転換されるよう、液晶表示パネルのメイン表示視野角によって特定された、異なる表示ドメインの共通配向膜に対する第二の光配向処理の露光量で第二の光配向処理を共通配向膜に対して行うこと、なお、第一の光配向処理の配向方向が第二の光配向処理の配向方向に垂直であることが好ましい；
ステップＳ５０７：アレイ基板と着色フィルム基板に対しアライメント処理を行って、液晶セルを形成すること。
【００４８】
本実施形態の液晶表示パネルの製造方法は、ステップＳ５０７で終了となる。
【００４９】
上記した第一の実施形態の製造工程に比べ、本実施形態による液晶表示パネルの製造方法は、ステップＳ５０４を行う際、異なる表示ドメインの画素配向膜に対して第一の光配向処理を行うとき、同じ露光量を採用したことに相違がある。また、ステップＳ５０６を行う際、ユーザーにより確定された液晶表示パネルのメイン表示視野角によって、異なる表示ドメインの共通配向膜に対して行う第二の光配向処理の露光量を特定して、メイン表示視野角の表示効果をよりよくする。ここで、例えば、液晶表示パネルのメイン表示視野角に対応する表示ドメインの共通配向膜に対して第二の光配向処理を行うときの露光量が、それ以外の表示ドメインの共通配向膜に対して第二の光配向処理を行うときの露光量より多いことが好ましい。
【００５０】
本実施形態による液晶表示パネルの製造方法は、液晶表示パネルのメイン表示視野角によって、異なる表示ドメインの共通配向膜に対して行う第二の光配向処理の露光量を特定するため、液晶表示パネルの製造コストを軽減することができる上で、液晶表示パネルの表示効果を確保することができる。
【００５１】
図６は、本発明による液晶表示パネルの製造方法の第三の実施形態を示すフローチャートである。本実施形態による液晶表示パネルの製造方法は、液晶表示パネルを製造するために応用でき、該当する液晶表示パネルの画素セルには複数の表示ドメインが含まれている。本実施形態による液晶表示パネルの製造方法は、以下のステップを含んでいる。即ち、
ステップＳ６０１：内表面に画素電極層が含まれるアレイ基板を製造すること；
ステップＳ６０２：内表面に共通電極層が含まれる着色フィルム基板を製造すること；
ステップＳ６０３：第一の不規則性ポリマーが含まれる画素配向膜を画素電極層に塗布すること；
ステップＳ６０４：第一の不規則性ポリマーが第一の規則性ポリマーに転換されるよう、液晶表示パネルのメイン表示視野角によって特定された、異なる表示ドメインの画素配向膜に対する第一の光配向処理の露光量で第一の光配向処理を画素配向膜に対して行うこと；
ステップＳ６０５：第二の不規則性ポリマーが含まれる共通配向膜を共通電極層に塗布すること；
ステップＳ６０６：第二の不規則性ポリマーが第二の規則性ポリマーに転換されるよう、液晶表示パネルのメイン表示視野角によって特定された、異なる表示ドメインの共通配向膜に対する第二の光配向処理の露光量で第二の光配向処理を共通配向膜に対して行うこと、なお、第一の光配向処理の配向方向が第二の光配向処理の配向方向に垂直であることが好ましい；
ステップＳ６０７：アレイ基板と着色フィルム基板に対しアライメント処理を行って、液晶セルを形成すること。
【００５２】
本実施形態の液晶表示パネルの製造方法は、ステップＳ６０７で終了となる。
【００５３】
上記した第一の実施形態の製造工程に比べ、本実施形態による液晶表示パネルの製造方法は、ステップＳ６０６を行う際、同時にユーザーにより特定された液晶表示パネルのメイン表示視野角によって、異なる表示ドメインの共通配向膜に対して行う第二の光配向処理の露光量を特定して、メイン表示視野角の表示効果をよりよくすることに相違がある。ここで、例えば、液晶表示パネルのメイン表示視野角に対応する表示ドメインの共通配向膜に対して第二の光配向処理を行うときの露光量が、それ以外の表示ドメインの共通配向膜に対して第二の光配向処理を行うときの露光量より多いことが好ましい。
【００５４】
本実施形態による液晶表示パネルの製造方法は、液晶表示パネルのメイン表示視野角によって、異なる表示ドメインの画素配向膜に対して行う第一の光配向処理の露光量を特定するとともに、異なる表示ドメインの共通配向膜に対して行う第二の光配向処理の露光量を特定する。したがって、両側における配向膜によりメイン表示視野角の表示効果を調整するため、調整を更に安定させ、より一層液晶表示パネルの表示効果を確保することができる。
【００５５】
このように、本発明による液晶表示パネルの製造方法は、液晶表示パネルのメイン表示視野角によって、異なる表示ドメインの画素配向膜に対して行う第一の光配向処理の露光量を特定するため、液晶表示パネルの製造コストを軽減することができる上で、液晶表示パネルの表示効果を確保することができる。これにより、従来の液晶表示装置の製造コストが高く、又は一部の視野角で画面が真っ白になりやすいという技術問題を解決することができる。
【００５６】
上記のように、好ましい実施形態により本発明を詳細に説明したが、本発明の保護範囲は、上記の実施形態に限定されず、本発明の趣旨に基づいて変更または改良することができ、いずれも本発明の保護範囲に含まれ、本発明の保護範囲は、特許請求の範囲に基づき決められる。
【図１】
0006486481.tif 000002
【図２】
0006486481.tif 000003
【図３】
0006486481.tif 000004
【図４】
0006486481.tif 000005
【図５】
0006486481.tif 000006
【図６】
0006486481.tif 000007